(57)【特許請求の範囲】
【請求項１】
遊技盤上に設けられた１つの図柄変動表示器の表示領域に変動表示部と確定表示部とをそれぞれ設け、始動条件が成立することにより該変動表示部に複数の図柄を複数列にて動画状に流れる如くに変動表示するとともに、変動表示部の各列の図柄の内からいずれか１つの図柄を列毎に順に選択してその図柄を確定表示部に転載表示し、該確定表示部に選択表示された図柄が特定図柄である場合に特典が付与されるようにしたことを特徴とするパチンコ遊技機。
【請求項２】
確定表示部に表示された選択図柄が特定図柄である場合に付与される特典は可変入賞装置を継続的に開成状態とする大当たりであることを特徴とした請求項１に記載のパチンコ遊技機。
【請求項３】
特定図柄は各列とも同一図柄であることとする請求項１または２に記載のパチンコ遊技機。
【発明の詳細な説明】
【０００１】
【発明の属する技術分野】
本発明は、図柄変動表示器に特定図柄が表示されると大当たりが発生し特別遊技状態となって可変入賞装置が継続的に開かれ打球が入賞し易くなるように構成されたパチンコ遊技機に関するものである。
【０００２】
【従来の技術】
「フィーバー機」と称される第１種パチンコ遊技機は、周知のように、遊技盤にカラー液晶ディスプレイ，ＣＲＴ等の図柄変動表示器が設けられ、始動口に打球が入ると、「１」〜「８」の数字および「○」，「△」，「□」，「☆」等の記号またはキャラクター等（以下、図柄という）が該図柄変動表示器に夫々上から下に流れる如くに３列で変動表示され、その表示の変動は数秒後に左列，右列，中列の順に停止し、その停止図柄が所定の確率で偶然性をもって例えば「７７７」，「☆☆☆」のように３列とも同じ図柄となった場合に大当たり（特別遊技状態）となり、可変入賞装置（大入賞口）の開閉扉が電動開閉装置の作動により開成状態となるようにしたもので、その開成状態の可変入賞装置に打球が所定個数（通常は１０個）入球するか、または開成状態で所定制限時間（通常は３０秒）が経過すると、いわゆる第１ラウンドが終わって該可変入賞装置は一旦は閉じるが、その第１ラウンド中に可変入賞装置内に設けられている継続入賞口（Ｖゾーンと称される）に打球が入球した場合には第２ラウンドが始まりすぐにまた該可変入賞装置が開かれ、開成状態となった可変入賞装置にまた打球が所定個数（通常は１０個）入球するか、または開成状態で所定制限時間（通常は３０秒）が経過すると、第２ラウンドが終わって該可変入賞装置はまた閉じるが、その第２ラウンド中に可変入賞装置内に設けられている継続入賞口（Ｖゾーンと称される）に打球が入球した場合には第３ラウンドが始まりすぐにまた該可変入賞装置が開かれ、こうして各ラウンド中に継続入賞口に打球が入賞したことを条件として最終ラウンド（例えば第１６ラウンド）になるまで該可変入賞装置が継続的に開かれるようにしている。このように特別遊技状態の期間中に可変入賞装置の開閉扉が所定ラウンド数を限度として継続的に開かれ打球が極めて入り易い状況が続くので多数の景品球を獲得できて遊技者に多くの利益がもたらされるものである。
【０００３】
また、上記変動表示は、通常は左列，右列，中列の順に停止するが、左列と右列が同じ図柄で停止した場合は、中列が一旦は違う図柄に停止しても再び逆方向等に流れ、結局は総て同一図柄で停止し大当たりとなったり、或いはまた違う図柄でしか停止しなかったりする妄動的表示（一般に「リーチ状態」と称されている）がなされている。
【０００４】
しかしながら、こうしたリーチ状態のような特殊な表示をして遊技者の関心を惹いているにしても、この種のパチンコ遊技機はいずれも図柄選択手段に大きな差異はないので、次第に飽きられ、遊技がマンネリ化する状況であった。
【０００５】
【発明が解決しようとする課題】
本発明はこのようにこの種のパチンコ遊技機のマンネリ化を防止し、その遊技の娯楽性を維持，増大させようとするものである。
【０００６】
【課題を解決するための手段】
そのために本発明のパチンコ遊技機は、遊技盤上に設けられた１つの図柄変動表示器の表示領域に変動表示部と確定表示部とをそれぞれ設け、始動条件が成立することにより該変動表示部に複数の図柄を複数列にて動画状に流れる如くに変動表示するとともに、変動表示部の各列の図柄の内からいずれか１つの図柄を列毎に順に選択してその図柄を確定表示部に転載表示し、該確定表示部に選択表示された図柄が特定図柄である場合に特典が付与されるようにしたことを特徴とする。
また本発明は上記パチンコ遊技機において、確定表示部に表示された選択図柄が特定図柄である場合に付与される特典は可変入賞装置を継続的に開成状態とする大当たりであることを特徴とする。
また本発明は上記パチンコ遊技機において、特定図柄は各列とも同一図柄であることとするものである。
【０００７】
【発明の実施の形態】
次に図面に従い本発明の実施の形態を説明する。図１にこのパチンコ遊技機における遊技盤１の正面を示し、図中、２は該遊技盤１上に設けられたカラー液晶ディスプレイからなる図柄変動表示器、３は普通入賞口、４は通過ゲート、５は始動口、６は該始動口５の下方に設けられた大きな長方形状の大入賞口からなる可変入賞装置、７は該可変入賞装置にソレノイドの作動により開閉動するよう設けられた開閉扉、８は該可変入賞装置内の中央部に形成された継続入賞口である。
【０００８】
また図２はこのパチンコ遊技機の本発明に関連する遊技制御回路基板９と図柄制御回路基板１０の要部を示したブロック図で、遊技制御回路基板９はＣＰＵとＲＡＭと遊技制御ＲＯＭと入出力回路部とからなり、該入出力回路部に前記始動口５に入賞した打球を検出する始動スイッチ１１と前記可変入賞装置６への入賞球を計数するスイッチ１２と、前記継続入賞口８への入賞球を検出するスイッチ１３と、可変入賞装置６の開閉扉を開閉動させるソレノイド１４が接続されている。また、図柄制御回路基板１０はＣＰＵとＲＡＭと図柄制御ＲＯＭと図柄情報ＲＯＭと入出力回路部とからなり、該入出力回路部に前記図柄変動表示器２が接続され、図柄情報ＲＯＭには、１〜８の数字および○，△，□，☆等の記号またはキャラクター等（以下、図柄という）が記憶されている。
【０００９】
次にこのパチンコ遊技機の作動を図３のフローチャートに従い説明する。遊技中に打球が始動口５に入賞し始動スイッチ１１により検出されることで始動条件が成立（ステップａ）し、ステップｂにて大当たりの成否を決する乱数およびその形態を決する乱数が取得される。
【００１０】
そしてステップｃに移行し、図柄変動表示器２に、図４に示したように、その中央下部に釣人の乗った船ｘが表示され、この船の前方に３列からなる変動表示部１５Ｌ，１５Ｃ，１５Ｒが設けられるとともに、該各変動表示部上にオーバーラップするような形態にて図柄変動表示器２の上半部に３つの確定表示部１６Ｌ，１６Ｃ，１６Ｒが設けられ、該各変動表示部１５Ｌ，１５Ｃ，１５Ｒに、図５（イ）に示したように、「１」〜「８」の数字および「○」，「△」，「□」，「☆」等の図柄が上から下に流れる如くに変動表示されることによって、この船ｘが浮かんでいると想定される川の底に、船が前進するに従いこれらの図柄が後方へ流れて行くが如くの動画表示がなされる。
【００１１】
そして、図５（ロ），（ハ）に示したように、釣人が左列の船の至近距離にルアーを投げる如くの表示からその川底に表示されている図柄（この場合「５」）を釣り上げる如くの表示がなされ、変動表示部１５Ｌから１つの図柄「５」が選択され、その図柄が確定表示部１６Ｌに転載表示される。（ステップｄ）。そして次に、図５（ニ），（ホ）に示したように、釣人が右列の遠方にルアーを投げる表示からその川底位置に表示されている図柄（この場合「☆」）を釣り上げ（選択し）、その図柄を確定表示部１６Ｒに転載表示する。（ステップｅ）。そしてさらに、図５（ヘ），（ト）に示したように、釣人が中列の中程にルアーを投げる表示からそこに表示されている図柄（この場合「９」）を釣り上げ（選択し）、確定表示部１６Ｃにこの図柄を転載表示する。（ステップｆ）。
【００１２】
そしてステップｇにて確定表示部１６の表示が偶然性をもって特定図柄（この場合、全て同一図柄）にて停止したかどうかが判定される。図５の表示例では確定表示部１６Ｌ，１６Ｃ，１６Ｒの表示が「５９☆」となり、これが予め定められた特定図柄ではないことからステップｈにて図５（チ）に示した「はずれ」表示がなされステップａに戻る。
【００１３】
一方、図６の表示例は、始動条件が成立することによって、（イ）→（ト）に示したように表示が移り変わり、その結果、確定表示部１６Ｌ，１６Ｃ，１６Ｒの表示が「７７７」という特定図柄となったことからステップｇにて大当たりと判定され、ステップｉ，ｊに移行して大当たり表示がなされるとともに大当たり動作が指令され、可変入賞装置６が繰り返し開成状態となり該可変入賞装置への打球の入賞を容易ならしめ一時に多数の景品球が払い出されるようになる。
【００１４】
このようにこのパチンコ遊技機では図柄変動表示器２に表示される変動図柄の選択手段が単に変動停止によるものでなく、釣人のルアーの投げ先によって図柄が決められるようにしたように、変動表示部から確定表示部に図柄が１つずつ抽出表示されることにより確定図柄が選択されるようにしたので、従来にない斬新な図柄選択形態を演出できる。
【００１５】
なお、図７に示したフローチャートは、図３のフローチャートにおけるステップｅとステップｆの間にあらたにステップｋ，ｌを設けたもので、ステップｋにて確定表示部１６Ｌに表示された図柄と確定表示部１６Ｒに表示された図柄とが同一図柄であるかどうかが判定され、同一図柄であった場合はステップｌに移行することで、図７（リ）〜（ル）に例示したような、図柄選択作動の妄動的な表示（リーチ状態）がなされるようにしたものである。即ち、図８（リ）に示したように一旦は同一図柄である「７」を釣り上げるように見えても、（ヌ），（ル）に示したようにルアーが外れて「７」を釣り損ねたような状況の表示がなされる。このような妄動的な表示が伴うことで、大当たりに対する遊技者の期待感は一層増大される。
【００１６】
なお、特定図柄は上記のように大当たりにする特典を付与するに限らず、大当たりの確率を上昇させたり、可変入賞装置の開時間を延長させるなど、その他の種々の特典が付与されるようにしてもよい。また、図柄の種類によって特典付与の大小が決められるようにすることもできる。
【００１７】
また、特典を付与するための条件となる特定図柄は、上記実施形態のように同一図柄とするだけでなく、予め決められた特定の図柄の組み合わせとしてもよい。
【００１８】
またこの実施形態では釣りの場面を想定した画像としたが、その他の画像（例えば、動画状に流れる如くに表示される複数のトランプカードの内の１枚を選択するような場面）を想定するものであってもよいことは勿論である。
【００１９】
【発明の効果】
このように本発明のパチンコ遊技機は、遊技盤上に設けられた１つの図柄変動表示器の表示領域に変動表示部と確定表示部とをそれぞれ設け、始動条件が成立することにより該変動表示部に複数の図柄を複数列にて動画状に流れる如くに変動表示するとともに、変動表示部の各列の図柄の内からいずれか１つの図柄を列毎に順に選択してその図柄を確定表示部に転載表示し、該確定表示部に選択表示された図柄が特定図柄である場合に特典が付与されるようにしたので、特典が付与される態様を従来にない斬新な表示とすることができ、パチンコ遊技の興趣，娯楽性を増大させる効果がある。
【図面の簡単な説明】
【図１】本発明に係るパチンコ遊技機の遊技盤の実施形態を示す正面図。
【図２】本発明に係るパチンコ遊技機の実施形態を示すブロック図。
【図３】本発明に係るパチンコ遊技機の実施形態を示すフローチャート。
【図４】図柄変動表示器に設けられる表示部の説明図。
【図５】図柄変動表示器に表示される図柄変動の説明図。
【図６】図柄変動表示器に表示される図柄変動の説明図。
【図７】本発明に係るパチンコ遊技機の実施形態を示すフローチャート。
【図８】図柄変動表示器に表示される図柄変動の説明図。
【符号の説明】
１                      遊技盤
２                      図柄変動表示器
５                      始動口
６                      可変入賞装置
９                      遊技制御回路基板
１０                    図柄制御回路基板
１５Ｌ，１５Ｃ，１５Ｒ  変動表示部
１６Ｌ，１６Ｃ，１６Ｒ  確定表示部
【図１】
0003914358.tif 000002
【図２】
0003914358.tif 000003
【図３】
0003914358.tif 000004
【図４】
0003914358.tif 000005
【図５】
0003914358.tif 000006
【図６】
0003914358.tif 000007
【図７】
0003914358.tif 000008
【図８】
0003914358.tif 000009